(57)【特許請求の範囲】
【請求項１】
映像情報、該映像情報に関連する付加情報及び該付加情報の取り扱いを外部装置に認識させるための認識用情報を合成する合成工程と、
前記合成工程で発生した合成情報を伝送する伝送工程と、
前記合成情報を受信する受信工程と、
受信した前記合成情報を前記映像情報、前記付加情報及び前記認識用情報に分離する分離工程と、
分離された前記映像情報に対して記録、表示又は外部出力のための処理を行う際に、分離された前記認識用情報に基づいて、分離された前記付加情報に対しても記録、表示又は外部出力のための処理を行うか否かを判別する判別工程と、
前記判別工程の結果に応じて記録、表示又は外部出力のための処理を行う処理工程と、
を有することを特徴とする情報伝送方法。
【請求項２】
前記認識用情報が示す内容を設定するための設定工程をさらに有することを特徴とする請求項１に記載の情報伝送方法。
【請求項３】
前記付加情報は、前記映像情報に関する日時情報、ズーム位置情報、又はタイトルのいずれか一つ以上であることを特徴とする請求項１又は２に記載の情報伝送方法。
【請求項４】
スペクトル拡散送信装置を用いて前記伝送工程を実施することを特徴とする請求項１乃至３のいずれか1項に記載の情報伝送方法。
【請求項５】
情報伝送装置と情報受信装置から構成される情報伝送システムであって、
前記情報伝送装置は、
映像情報、該映像情報に関連する付加情報及び該付加情報の取り扱いを前記情報受信装置に認識させるための認識用情報を合成する合成手段と、
前記合成手段によって発生した合成情報を伝送する伝送手段と、
を備え、前記情報受信装置は、
前記合成情報を受信する受信手段と、
受信した前記合成情報を前記映像情報、前記付加情報及び前記認識用情報に分離する分離手段と、
分離された前記映像情報に対して記録、表示又は外部出力のための処理を行う際に、分離された前記認識用情報に基づいて、分離された前記付加情報に対しても記録、表示又は外部出力のための処理を行うか否かを判別し、判別結果に応じて記録、表示又は外部出力のための処理を行うよう制御する制御手段と、
を備えることを特徴とする情報伝送システム。
【請求項６】
前記情報伝送装置は、前記認識用情報が示す内容を設定するための操作手段をさらに備えることを特徴とする請求項５に記載の情報伝送システム。
【請求項７】
前記付加情報は、前記映像情報に関する日時情報、ズーム位置情報、又はタイトルのいずれか一つ以上であることを特徴とする請求項５又は６に記載の情報伝送システム。
【請求項８】
情報受信装置に対して情報を伝送する情報伝送装置であって、
前記情報受信装置に伝送するための映像情報と該映像情報に関連する付加情報を生成する生成手段と、
前記生成手段によって生成された映像情報及び付加情報と、前記情報受信装置が前記映像情報に対して記録、表示又は外部出力のための処理を行う際に前記付加情報に対しても記録、表示又は外部出力のための処理を行うか否かを決定づける認識用情報を合成する合成手段と、
前記合成手段によって発生した合成情報を前記情報受信装置に伝送する伝送手段と、
を備えることを特徴とする情報伝送装置。
【請求項９】
前記認識用情報が示す内容を設定するための操作手段をさらに備えることを特徴とする請求項８に記載の情報伝送装置。
【請求項１０】
前記付加情報は、前記映像情報に関する日時情報、ズーム位置情報、又はタイトルのいずれか一つ以上であることを特徴とする請求項８又は９に記載の情報伝送装置。
【請求項１１】
映像情報、該映像情報に関連する付加情報及び該付加情報の取り扱いを外部装置に認識させるための認識用情報を合成する合成工程と、
前記合成工程で発生した合成情報を伝送する伝送工程と、
前記合成情報を受信する受信工程と、
受信した前記合成情報を前記映像情報、前記付加情報及び前記認識用情報に分離する分離工程と、
分離された前記映像情報に対して記録、表示又は外部出力のための処理を行う際に、分離された前記認識用情報に基づいて、分離された前記付加情報に対しても記録、表示又は外部出力のための処理を行うか否かを判別する判別工程と、
前記判別工程の結果に応じて記録、表示又は外部出力のための処理を行う処理工程とを実行可能な制御プログラムを格納したことを特徴とするコンピュータ読み取り可能な記憶媒体。
【発明の詳細な説明】
【０００１】
【発明の属する技術分野】
本発明は、情報伝送方法及び装置、情報伝送システム、並びに記憶媒体に関する。
【０００２】
【従来の技術】
従来、ビデオカメラは、撮影映像にビデオカメラの諸情報を付加情報として合成して外部出力する機能を持っている。そして、ビデオカメラで撮影した映像、音声等を観賞するため、ビデオカメラの出力をモニターにコードを接続していた。また、撮影情報の付加情報を外部でモニターすることができる。また、ワイヤレス接続するためには、ビデオカメラの出力を該ビデオカメラとは別体の送信ユニットに接続して、ＦＭ変調された赤外線によって映像、音声等を伝送していた。更に、近年、映像信号をデジタルデータに変換して情報圧縮動作を行い、デジタルデータとして無線伝送する技術が発展しつつあり、付加情報が膨大な量になっている。
【０００３】
【発明が解決しようとする課題】
しかしながら、上述した従来例にあっては、ビデオカメラとモニターとをコードで接続するための作業が繁雑になる。また、コードで接続するため撮影／観賞の自由度が制限されてしまう。そのため、ビデオカメラとモニターとを光接続や無線接続によって分離することが行われている。ＦＭ変調された赤外線のワイヤレス接続においては、伝送距離が短い、外乱に影響されやすい、周波数占有率が高い等の欠点があった。
【０００４】
また、前記映像信号をデジタルデータに変換して情報圧縮動作を行い、デジタルデータとして無線伝送するシステムでは、映像情報の低減とは逆に、付加情報が増大している。しかし、膨大な量の付加情報は、かえって装置の複雑化を招いてしまうという欠点があった。
【０００５】
本発明は上述した従来の技術の有するこのような問題点に鑑みてなされたものであり、その目的とするところは、映像の観賞の自由度を高め且つ操作性の向上を図ることができる情報伝送方法及び装置、情報伝送システム、並びに記憶媒体を提供するものである。
【０００７】
【課題を解決するための手段】
上記目的を達成するために請求項１記載の情報伝達方法は、映像情報、該映像情報に関連する付加情報及び該付加情報の取り扱いを外部装置に認識させるための認識用情報を合成する合成工程と、前記合成工程で発生した合成情報を伝送する伝送工程と、前記合成情報を受信する受信工程と、受信した前記合成情報を前記映像情報、前記付加情報及び前記認識用情報に分離する分離工程と、分離された前記映像情報に対して記録、表示又は外部出力のための処理を行う際に、分離された前記認識用情報に基づいて、分離された前記付加情報に対しても記録、表示又は外部出力のための処理を行うか否かを判別する判別工程と、前記判別工程の結果に応じて記録、表示又は外部出力のための処理を行う処理工程と、を有することを特徴とする。
【０００８】
また、上記目的を達成するために請求項２記載の情報伝達方法は、請求項１に記載の情報伝送方法において、前記認識用情報が示す内容を設定するための設定工程をさらに有することを特徴とする。
【０００９】
また、上記目的を達成するために請求項３記載の情報伝達方法は、請求項１又は２に記載の情報伝送方法において、前記付加情報は、前記映像情報に関する日時情報、ズーム位置情報、又はタイトルのいずれか一つ以上であることを特徴とする。
【００１０】
また、上記目的を達成するために請求項４記載の情報伝達方法は、請求項１乃至３のいずれか1項に記載の情報伝送方法において、スペクトル拡散送信装置を用いて前記伝送工程を実施することを特徴とする。
【００１１】
また、上記目的を達成するために請求項５記載の方法伝達システムは、情報伝送装置と情報受信装置から構成される情報伝送システムであって、前記情報伝送装置は、映像情報、該映像情報に関連する付加情報及び該付加情報の取り扱いを前記情報受信装置に認識させるための認識用情報を合成する合成手段と、前記合成手段によって発生した合成情報を伝送する伝送手段と、備え、前記情報受信装置は、前記合成情報を受信する受信手段と、受信した前記合成情報を前記映像情報、前記付加情報及び前記認識用情報に分離する分離手段と、分離された前記映像情報に対して記録、表示又は外部出力のための処理を行う際に、分離された前記認識用情報に基づいて、分離された前記付加情報に対しても記録、表示又は外部出力のための処理を行うか否かを判別し、判別結果に応じて記録、表示又は外部出力のための処理を行うよう制御する制御手段と、を備えることを特徴とする。
【００１２】
また、上記目的を達成するために請求項６記載の情報伝達システムは、請求項５記載の情報伝送システムにおいて、前記情報伝送装置は、前記認識用情報が示す内容を設定するための操作手段をさらに備えることを特徴とする。
【００１３】
また、上記目的を達成するために請求項７記載の情報伝達システムは、請求項５又は６記載の情報伝送システムにおいて、前記付加情報は、前記映像情報に関する日時情報、ズーム位置情報、又はタイトルのいずれか一つ以上であることを特徴とする。
【００１４】
また、上記目的を達成するために請求項８記載の情報伝達装置は、情報受信装置に対して情報を伝送する情報伝送装置であって、前記情報受信装置に伝送するための映像情報と該映像情報に関連する付加情報を生成する生成手段と、前記生成手段によって生成された映像情報及び付加情報と、前記情報受信装置が前記映像情報に対して記録、表示又は外部出力のための処理を行う際に前記付加情報に対しても記録、表示又は外部出力のための処理を行うか否かを決定づける認識用情報を合成する合成手段と、前記合成手段によって発生した合成情報を前記情報受信装置に伝送する伝送手段と、を備えることを特徴とする。
【００１５】
また、上記目的を達成するために請求項９記載の情報伝達装置は、請求項８記載の情報伝送装置において、前記認識用情報が示す内容を設定するための操作手段をさらに備えることを特徴とする。
【００１６】
また、上記目的を達成するために請求項１０記載の情報伝達装置は、請求項８記載の情報伝送装置において、前記付加情報は、前記映像情報に関する日時情報、ズーム位置情報、又はタイトルのいずれか一つ以上であることを特徴とする。
【００１７】
また、上記目的を達成するために請求項１１記載のコンピュータ読み取り可能な記憶媒体は、映像情報、該映像情報に関連する付加情報及び該付加情報の取り扱いを外部装置に認識させるための認識用情報を合成する合成工程と、前記合成工程で発生した合成情報を伝送する伝送工程と、前記合成情報を受信する受信工程と、受信した前記合成情報を前記映像情報、前記付加情報及び前記認識用情報に分離する分離工程と、分離された前記映像情報に対して記録、表示又は外部出力のための処理を行う際に、分離された前記認識用情報に基づいて、分離された前記付加情報に対しても記録、表示又は外部出力のための処理を行うか否かを判別する判別工程と、前記判別工程の結果に応じて記録、表示又は外部出力のための処理を行う処理工程とを実行可能な制御プログラムを格納したことを特徴とする。
【００１８】
【発明の実施の形態】
以下、本発明の各実施の形態を図面に基づき説明する。
【００１９】
（第１の実施の形態）
まず、本発明の第１の実施の形態を図１〜図３に基づき説明する。図１は、本発明の第１の実施の形態に係る情報伝送装置によって情報が伝送されるビデオカメラとモニターの構成を示すブロック図である。
【００２０】
図１（ａ）中、１００はビデオカメラ、１０１は撮影レンズ、１０２は撮影レンズ１０１によって結像された光学像を映像信号に変換する撮像素子、１０３は映像信号をサンプルホールドして適正レベルに増幅するＣＤＳ／ＡＧＣ、１０４はレンズ１０１をズーミング或いはフォーカシングするため駆動するモータドライバ、１０５は映像信号をデジタル処理によって規格化された映像信号に変換するデジタル信号処理回路、１０６はデータを伝送するスペクトル拡散送受信機、１０７は映像・音声情報と各種付加情報とを合成する合成回路、１０８はキャラクタ信号を発生させるキャラクタジェネレータ（ＣＧ）、１０９はオートデート回路、１１０は映像信号を表示するファインダーユニット、１１１はビデオカメラ１００の各種操作を行うための操作キー、１１２は映像情報を画像圧縮する圧縮回路、１１３はアンテナ、１１４は映像信号とキャラタ信号とをミックスするミックス回路、１１５はビデオカメラ１００全体を制御するビデオマイコン（マイクロコンピュータ）である。
【００２１】
また、図１（ｂ）中、２００はモニター、２０１はアンテナ、２０２は映像信号等を送受信するスペクトル拡散送受信機、２０３は各種情報の分離回路、２０４はデジタル信号処理回路、２０５は記録再生回路、２０６はモニター２００全体を制御するモニターマイコン（マイクロコンピュータ）、２０７はモニター２００の操作キー、２０８は映像信号とキャラタ信号とをミックスするミックス回路、２０９は映像等を表示するファインダーユニット（モニターユニット）、２１０はキャラクタ信号を発生させるキャラクタジェネレータ（ＣＧ）である。
【００２２】
図１（ａ）の構成において、ビデオカメラ１００の各操作は、操作キー１１１によって行われ、ビデオカメラ１００の撮影時、被写体がレンズ１０１から撮像素子１０２で結像する。映像はＣＤＳ／ＡＧＣ１０３でサンプル／増幅され、デジタル信号処理回路１０５に入力される。レンズ１０１はズーミングやフォーカシングのためビデオマイコン１１５の制御命令を受けて、モータドライバ１０４で駆動される。デジタル信号処理回路１０５からの映像信号とキャラクタジェネレータ１０８からのキャラクタ信号がミックス回路１１４でミックスされて、ファインダーユニット１１０で表示される。
【００２３】
オートデート回路１０９からのデータは、ビデオマイコン１１５で処理される。デジタル信号処理回路１０５からの映像信号は、圧縮回路１１２で圧縮され、合成回路１０７へ送られる。また、各種付加情報は操作キー１１１の選択によって表示用、記録用或いは表示と記録の分類がなされ、それぞれの認識符号をもって合成回路１０７で合成される。合成されたデータは、スペクトル拡散送受信機１０６でアンテナ１１３より送信される。
【００２４】
また、図１（ｂ）の構成においてモニター２００の動作は、アンテナ２０１よりスペトル拡散送受信機２０２で受信されたデータを、分離回路２０３で映像・音声情報と、認識符号をもった各種付加情報に分離し、映像・音声情報はデジタル信号処理回路２０４へ送られ、記録再生回路２０５に記録される。また、各種付加情報はモニターマイコン２０６が認識符号によって表示或いは記録を行うか否かを判別して、表示の付加情報では、キャラクタジェネレータ２１０で発生したキャラクタ信号とデジタル信号処理回路２０４からの映像信号とがミックス回路２０８でミックスされて、ファインダーユニット２０９に表示される。記録の付加情報では、ビデオトラックのビデオサブコードエリア等に記録される。
【００２５】
図２は、伝送されるデータ構成の一例を示す図で、これは毎フィールド或いは毎フレームごとにパケットデータとして伝送したものであり、情報内容としては、映像情報、音声情報、Ｄａｔａ１で示す第１の付加情報、Ｄａｔａ２で示す第２の付加情報等からなる各種付加情報を順次伝送する。そして、第１の付加情報Ｄａｔａ１は、各種伝送情報のヘッダーに認識符号として付加され、その後に具体的な付加情報の内容がＤａｔａ２として書かれている。認識符号”００１”は記録と表示、認識符号”１１１”は無効としている。図２においては、日時は認識符号”００１”の記録と表示を行わせることを意味している。また、この認識符号のビット数を増やすことによって、「外部出力する／しない」、「付加情報の暗号化」、「優先順位の設定」等も行える。すなわち、第２の付加情報Ｄａｔａ２の表示、出力等、処理方法を決定するコードであるＤａｔａ１が第１の付加情報としてヘッダー部に記録されている。従って、モニタユニット側あるいは受信機側で映像、音声データ等を再生する際に第１、第２の付加情報をデコードしその内容に応じた処理を実行することができる。
【００２６】
図３は、ビデオカメラ１００の操作キー１１１の一例を示す図であり、各種付加情報を伝送後の処理方法に関して設定できるものである。付加情報の日時は、”表示／記録”と設定した例である。この設定方法は、メニュー設定等を用いることもできる。
【００２７】
上述したように本実施の形態に係る情報伝送装置によれば、操作者が選択した付加情報の分類（Ｄａｔａ１によるＤａｔａ２の分類）に従い、伝送された付加情報を表示及びまたは記録することができる。また、情報データは、スペクトル拡散送受信機１０６，２０２によってアンテナ１１３，２０１より伝送されるため、ビデオカメラ１００の撮影／観賞の自由度を高め、操作性の向上を図ることができるという効果を奏する。
【００２８】
（第２の実施の形態）
次に、本発明の記憶媒体について図４及び図５に基づき説明する。
【００２９】
情報伝送装置を制御するプログラムを格納する記憶媒体には、少なくとも図４に示すように、「合成情報伝送モジュール」、「合成情報受信モジュール」、「情報表示モジュール」、「情報記録モジュール」の各プログラムモジュールを有するプログラムコードを格納すればよい。
【００３０】
ここで、「合成情報伝送モジュール」は、映像・音声情報と第１の付加情報と第２の付加情報とを合成してなる合成情報を伝送するプログラムモジュールである。また、「合成情報受信モジュール」は、前記合成情報を受信するプログラムモジュールである。また、「情報表示モジュール」は、表示手段に前記映像情報と前記第１の付加情報または前記第２の付加情報を表示するプログラムモジュールである。また、「情報記録モジュール」は、記録手段に前記映像情報と前記第２の付加情報とを記録するプログラムモジュールである。
【００３１】
また、情報伝送装置を制御するプログラムを格納する別の記憶媒体には、少なくとも図５に示すように、「情報選択モジュール」、「合成情報伝送モジュール」、「合成情報受信モジュール」、「情報表示モジュール」、「情報記録モジュール」の各プログラムモジュールを有するプログラムコードを格納すればよい。
【００３２】
ここで、「情報選択モジュール」は、操作者が付加情報として第１の付加情報或いは第２の付加情報を選択するプログラムモジュールである。また、「合成情報伝送モジュール」は、前記付加情報と映像・音声情報とを合成してなる合成情報を伝送するプログラムモジュールである。また、「合成情報受信モジュール」は、前記合成情報を受信するプログラムモジュールである。また、「情報表示モジュール」は、表示手段に前記映像情報と前記第１の付加情報または前記第２の付加情報を表示するプログラムモジュールである。また、「情報記録モジュール」は、記録手段に前記映像情報と前記第２の付加情報とを記録するプログラムモジュールである。
【００３３】
【発明の効果】
以上詳述したように本発明によれば、映像情報とそれに付随する付加情報を伝送する際に、該付加情報に対する記録や表示等の取り扱いに関する情報も送ることによって、受信側において付加情報を適切に分類して記録や表示等を実行することが可能となり、映像の観賞の自由度を高め且つ操作性の向上を図ることができるという効果を奏する。
【００３４】
また、本発明の記憶媒体によれば、上述した情報伝送装置を円滑に制御することができるという効果を奏する。
【図面の簡単な説明】
【図１】本発明の第１の実施の形態に係る情報伝送装置により情報伝達を行うビデオカメラとモニターの構成を示すブロック図である。
【図２】本発明の第１の実施の形態に係る情報伝送装置により伝送されるデータ構成の一例を示す図である。
【図３】図１に示すビデオカメラの操作キーの一例を示す図であ
【図４】本発明の記憶媒体に格納されるプログラムの有する各プログラムモジュールを示す図である。
【図５】本発明の別の記憶媒体に格納されるプログラムの有する各プログラムモジュールを示す図である。
【符号の説明】
１００  ビデオカメラ
１０１  レンズ
１０２  撮像素子
１０３  ＣＤＳ／ＡＧＣ
１０４  モータドライバ
１０５  デジタル信号処理回路
１０６  スペクトル拡散送受信機
１０７  合成回路
１０８  キャラクタジェネレータ（ＣＧ）
１０９  オートデータ回路
１１０  ファインダーユニット
１１１  操作キー
１１２  圧縮回路
１１３  アンテナ
１１４  ミックス回路
１１５  ビデオマイコン
２００  モニター
２０１  アンテナ
２０２  スペクトル拡散送受信機
２０３  分離回路
２０４  デジタル信号処理回路
２０５  記録再生回路
２０６  モニターマイコン
２０７  操作キー
２０８  ミックス回路
２０９  ファインダーユニット
２１０  キャラクタジェネレータ（ＣＧ）
【図１】
0003839912.tif 000002
【図２】
0003839912.tif 000003
【図３】
0003839912.tif 000004
【図４】
0003839912.tif 000005
【図５】
0003839912.tif 000006